(57)【特許請求の範囲】
【請求項１】
コンパクトフラッシュカードの挿入後端側に形成された段部に係止する係止折り曲げ部を先端に備えた係止片と、
該係止片と協働して前記コンパクトフラッシュカードを挟持する挟持片とを備え、
前記係止片と挟持片とがそれぞれ異なる間隔で二股状に分岐され、
係止片と挟持片の二股状のそれぞれの間隔に対応して異なった間隔でカード挿入部の壁面に形成される挿入溝によりカード挿入部への挿入姿勢が規制されるコンパクトフラッシュカードの引き抜き工具。
【請求項２】
コンパクトフラッシュカードの挿入後端側に形成された段部に係止する係止折り曲げ部を先端に備えた係止片と、
該係止片と協働して前記コンパクトフラッシュカードを挟持する挟持片とを備えた引き抜き工具により引き抜き可能なコンパクトフラッシュカードのカード挿入部を側壁部に設けた電子装置の筐体であって、
前記カード挿入部の壁面には、コンパクトフラッシュカード装着状態において前記係止片と挟持片とが挿通可能な挿通溝が設けられる電子装置の筐体。
【発明の詳細な説明】
【０００１】
【発明の属する技術分野】
本発明は、コンパクトフラッシュカードの引き抜き工具に関するものである。
【０００２】
【従来の技術】
コンパクトフラッシュ（登録商標）カードは、不揮発性であるために、例えば、システムＢＩＯＳ情報の保存媒体として多用されており、かかる用途として利用される場合には、一般ユーザが容易に抜去できない状態で装着される。
【０００３】
一方、システムのアップデート等に際しては、これらコンパクトフラッシュカードの交換が必要となり、この要求に応えることのできる装着構造としては、例えば、図7に示すものが使用されている。
【０００４】
すなわち、この従来例において、電子装置の筐体Ｂは上下分割可能であり、下カバーＢ１に形成されるコンパクトフラッシュカード１のカード挿入部４が上カバーとの境界壁に開口され、コンパクトフラッシュカード１の上面に予め貼り付けられた引き出し用テープ６が引き出される。
【０００５】
コンパクトフラッシュカード１の抜去は、まず、筐体Ｂの上下カバーＢ１、Ｂ２の連結を解除した後、上記引き出しテープ６を筐体Ｂ外方（図７における矢印方向）に引っ張り、コンパクトフラッシュカード１をカード挿入部４から引き出して行われる。
【０００６】
【発明が解決しようとする課題】
しかし、上述した従来においては、コンパクトフラッシュカード１の交換に際して筐体Ｂの分解等を要するために、手間がかかるという問題がある。
【０００７】
本発明は、以上の欠点を解消すべくなされたものであって、交換作業を容易にするコンパクトフラッシュカードの引き抜き工具の提供を目的とする。
【０００８】
【課題を解決するための手段】
コンパクトフラッシュカード１には、コネクタ７への接続辺に対向する辺縁に段部１ａを備えており、一般的な装着方法、すなわち、コネクタ７への接続辺を先頭にした姿勢で筐体Ｂに押し込んで装着した際には、該段部１ａが手前側、すなわち、筐体Ｂの外側壁近傍に位置することとなる。
【０００９】
本発明は、このコンパクトフラッシュカード１に設けられる段部１ａを利用することにより、筐体Ｂからの引き出しを容易にしたもので、コンパクトフラッシュカード１の引き出しは、筐体Ｂ内に挿入した引き抜き工具Ａの係止片２と挟持片３とでコンパクトフラッシュカード１を挟み付けるようにして係止片２を上記段部１ａに係止した後、引き抜き工具Ａを引っ張るだけで簡単に行うことができる。
【００１０】
また、係止片２と挟持片３とを二股状に分岐して形成すると、コンパクトフラッシュカード１を収容する筐体Ｂ側のカード挿入部４の壁面には、これら二股状の係止片２等が挿通可能な挿通溝５を形成するだけでこれらを挿通することが可能になる。このため、カード挿入部４の残余の壁面をコンパクトフラッシュカード１の表裏面をガイドするガイド面、あるいはぐらつきを防止するための規制面として利用できるために、装着作業性が向上する上に、コンパクトフラッシュカード１のぐらつき、接触不良が防止できる。
【００１１】
【発明の実施の形態】
図１にハンドヘルドコンピュータとして構成された本発明の実施の形態を示す。ハンドヘルドコンピュータは、ディスプレイ部８と、キー入力部９とを備えて屋外等で使用可能であり、収集情報のプリントアウト用のプリンタ１０、あるいはホストコンピュータとの通信部（図示せず）等を備える。
【００１２】
図５に上記筐体Ｂ内に装着されたコンパクトフラッシュカード１の引き抜き工具を示す。引き抜き工具は、ほぼ矩形上のパッケージ形状を有するコンパクトフラッシュカード１の一側縁に形成される段部１ａを利用して上記筐体Ｂ内からコンパクトフラッシュカード１を引き抜くもので、金属薄板材により形成される係止片形成板材Ａ１と、挟持片形成板材Ａ２の２枚を上下に積層固定して形成される。
【００１３】
係止片形成板材Ａ１と挟持片形成板材Ａ２とはそれぞれ一端に把持部１１を備え、該把持部１１において接合される。係止片形成板材Ａ１には、把持部１１から二股状に分岐する係止片２が形成されるとともに、挟持片形成板材Ａ２には、把持部１１から二股状に分岐する挟持片３が形成される。上記挟持片３は把持部１１に対して板厚方向に折り曲げられており、挟持片形成板材Ａ２と係止片形成板材Ａ１とを把持部１１において接合した状態において、係止片２と挟持片３とは上記コンパクトフラッシュカード１の板厚よりやや小寸の間隔を隔てて対峙し、さらに、係止片２の自由端には挟持片３側に折曲された係止折り曲げ部２ａが形成される。後述するように、筐体Ｂのカード挿入部４への挿入姿勢を規制するように、係止片２、２間の間隔（Ｗ２）と挟持片３、３間の間隔（Ｗ３）とは異なるように形成される。
【００１４】
図２〜４に上記ハンドヘルドコンピュータの筐体Ｂを示す。筐体Ｂ内にコンパクトフラッシュカード１を収容するために、筐体Ｂの側壁には、側方に向けて開口するカード挿入部４が開設され、その最奥部にコンパクトフラッシュカード１を装着するためのコネクタ７が配置される。なお、図４において１２はコネクタ７が実装される実装基板を示す。
【００１５】
上記カード挿入部４に装着されたコンパクトフラッシュカード１が不用意に抜去されることのないように、上記カード挿入部４は蓋体１３により閉塞される。蓋体１３は、図３に示すように、本体１３ａの両側縁に係止フック部１３ｂを備える合成樹脂製のピース片であり、係止フック部１３ｂをカード挿入部４の側壁部に係止させて筐体Ｂに装着される。
【００１６】
一方、カード挿入部４は上下面に後述する引き抜き工具Ａの係止片２と挟持片３とが挿通可能な挿通溝５を有する。これら挿通溝５は、係止片２と挟持片３とが各々二股状に分岐されているのに対応してカード挿入部４の上下面に各々２条ずつ凹設され、段部１ａを下方に向けてコンパクトフラッシュカード１を装着するように設計されたこの実施の形態において、上面（天井面）側が挟持片３に、下面（底壁面）側が係止片２に対応する。これら上面側の挿通溝５、５間の間隔と下面側の挿通溝５、５間の間隔とは、引き抜き工具Ａの挟持片３、３間の間隔（Ｗ３）と係止片２、２間の間隔（Ｗ２）とが相違するのに対応して異なっており、引き抜き工具Ａの上下反転姿勢での挿入を禁止する。また、上面側の挿通溝５は、上記蓋体１３によってカード挿入部４を閉塞した状態においても筐体Ｂの外周壁に開口する位置に設けられる。
【００１７】
したがってこの実施の形態において、図２（ｂ）、図４（ａ）に示すように、コンパクトフラッシュカード１を装着し、かつ、蓋体１３でカード挿入部４を閉塞した状態からコンパクトフラッシュカード１を交換するには、まず、上記筐体Ｂ外壁面に開口した挿通溝５内に引き抜き工具Ａの挟持片３を挿入し、引き抜き工具Ａをこじるようにして係止フック部の係止を解除し、蓋体１３を筐体Ｂから取り外す。この後、図２（ａ）に示すように、コンパクトフラッシュカード１の挿入後端側端面の上下に現れる各２条の挿通溝５に挟持片３と係止片２とを挿入する。上述したように、挟持片３間の間の間隔（Ｗ３）と係止片２間の間隔（Ｗ２）、およびこれらに対応する挿通溝５間の間隔が異なっているために、上限反転姿勢で挿入することはできない。
【００１８】
挿通溝５に挿通可能な姿勢で引き抜き工具Ａを挿入すると、挟持片３がやや弾性変形しながら該挟持片３がコンパクトフラッシュカード１の天井面に沿って移動し、やがて係止片２が段部１ａを乗り越えると、弾性復元力により係止片２の係止折り曲げ部２ａが段部１ａに落ち込んで該段部１ａに形成される（図６参照）。この状態で、コンパクトフラッシュカード１は挟持片３と係止片２とにより挟み付けられた状態となって係止折り曲げ部２ａの係止解除が規制され、次いで、引き抜き工具Ａを手前側に引き出すと、コンパクトフラッシュカード１が引き抜き工具Ａの移動に追随して引き出される。
【００１９】
【発明の効果】
以上の説明から明らかなように、本発明によれば、コンパクトフラッシュカードの交換作業を効率よく行うことができる。
【図面の簡単な説明】
【図１】ハンドヘルドコンピュータを示す全体図である。
【図２】図１の２Ａ方向矢視図であり、（ａ）は蓋体を取り外した状態、（ｂ）は蓋体を装着した状態を示す図である。
【図３】蓋体を示す図で、（ａ）は斜視図、（ｂ）は裏面図、（ｃ）は（ｂ）の３Ｃ方向矢視図である。
【図４】図２（ａ）の４Ａ-４Ａ線断面図で、（ａ）は蓋体を装着した状態、（ｂ）は蓋体を取り外した状態を示す図である。
【図５】引き抜き工具を示す図で、（ａ）は平面図、（ｂ）は（ａ）の５Ｂ方向矢視図、（ｃ）は裏面図である。
【図６】コンパクトフラッシュカードの引き抜き方法を示す図で、（ａ）は断面図、（ｂ）は（ａ）の６Ｂ部拡大図である。
【図７】従来例を示す図で、（ａ）は要部断面図、（ｂ）は（ａ）の７Ｂ方向矢視図である。
【符号の説明】
１        コンパクトフラッシュカード
１ａ      段部
２        係止片
２ａ      係止折り曲げ部
３        挟持片
４        カード挿入部
５        挿通溝
Ａ        引き抜き工具
Ｂ        筐体
【図１】
0003977118.tif 000002
【図２】
0003977118.tif 000003
【図３】
0003977118.tif 000004
【図４】
0003977118.tif 000005
【図５】
0003977118.tif 000006
【図６】
0003977118.tif 000007
【図７】
0003977118.tif 000008